(57)【特許請求の範囲】
【請求項１】
エレベーターの調整またはメンテナンス時に、カゴ内に設置されたディスプレイに接続されたディスプレイ操作用コントローラの操作による入力信号を調整またはメンテナンス用のデータとして取り込み、前記カゴ内に設置されたディスプレイに調整またはメンテナンス用のデータを表示するように制御する制御手段を備えたことを特徴とするエレベーターシステム。
【請求項２】
エレベーターのカゴ内に設置されたディスプレイに設けられ、ディスプレイ操作用コントローラが接続されたとき、調整またはメンテナンスを行うためのモードに切り替えるディスプレイモード切り替え手段と、この手段により調整またはメンテナンスを行うためのモードに切り替えられたとき、前記ディスプレイ操作用コントローラの操作による入力信号を調整またはメンテナンス用のデータとして取り込み、前記カゴ内に設置されたディスプレイに調整またはメンテナンス用のデータを表示するように制御する制御手段とを備えたことを特徴とするエレベーターシステム。
【請求項３】
エレベーターの調整またはメンテナンス時に、ホールに設置されたディスプレイに接続されたディスプレイ操作用コントローラの操作による入力信号を調整またはメンテナンス用のデータとして取り込み、前記ホールに設置されたディスプレイに調整またはメンテナンス用のデータを表示するように制御する制御手段を備えたことを特徴とするエレベーターシステム。
【請求項４】
エレベーターのホールに設置されたディスプレイに設けられ、ディスプレイ操作用コントローラが接続されたとき、調整またはメンテナンスを行うためのモードに切り替えるディスプレイモード切り替え手段と、この手段により調整またはメンテナンスを行うためのモードに切り替えられたとき、前記ディスプレイ操作用コントローラの操作による入力信号を調整またはメンテナンス用のデータとして取り込み、前記ホールに設置されたディスプレイに調整またはメンテナンス用のデータを表示するように制御する制御手段とを備えたことを特徴とするエレベーターシステム。
【発明の詳細な説明】
【０００１】
【発明の属する技術分野】
本発明は、エレベーターシステムに関し、特に、エレベーターの調整またはメンテナンス用のデータを表示し、または入力する場合の制御手段に関する。
【０００２】
【従来の技術】
エレベーターを調整またはメンテナンスする場合、機械室内または特定階（例えば最上階）の乗場等に設置される制御盤内の制御回路に、携帯保守端末をシリアル伝送線にて接続し、その携帯保守端末を操作し、エレベーターの状態を作業員が把握し、調整、保守、点検等の作業を行っている。
【０００３】
【発明が解決しようとする課題】
しかしながら、エレベーターの調整またはメンテナンスを行う場合、作業員が最上階機械室または特定階の乗場等の制御盤設置位置まで行かなければならないという煩わしさがあった。
【０００４】
そこで、本発明は、作業員が制御盤設置位置まで行かなくとも、カゴ内あるいはホールに設置されたディスプレイを用いて、調整またはメンテナンスが容易にできるエレベーターシステムを提供することを目的とする。
【０００５】
【課題を解決するための手段】
請求項１に記載の本発明に係るエレベーターシステムは、エレベーターの調整またはメンテナンス時に、カゴ内に設置されたディスプレイに接続されたディスプレイ操作用コントローラの操作による入力信号を調整またはメンテナンス用のデータとして取り込み、カゴ内に設置されたディスプレイに調整またはメンテナンス用のデータを表示するように制御する制御手段を備えたことを特徴とする。
【０００６】
請求項１に記載の本発明によれば、カゴ内に設置されたディスプレイに表示される調整またはメンテナンス用のデータを見ながら、ディスプレイ操作用コントローラの操作により調整またはメンテナンス用のデータを入力して、作業員が容易にエレベーターの調整またはメンテナンス作業を行うことができる。
【０００７】
請求項２に記載の本発明に係るエレベーターシステムは、エレベーターのカゴ内に設置されたディスプレイに設けられ、ディスプレイ操作用コントローラが接続されたとき、調整またはメンテナンスを行うためのモードに切り替えるディスプレイモード切り替え手段と、この手段により調整またはメンテナンスを行うためのモードに切り替えられたとき、ディスプレイ操作用コントローラの操作による入力信号を調整またはメンテナンス用のデータとして取り込み、カゴ内に設置されたディスプレイに調整またはメンテナンス用のデータを表示するように制御する制御手段とを備えたことを特徴とする。
【０００８】
請求項２に記載の本発明によれば、ディスプレイ操作用コントローラをエレベーターのカゴ内に設置されたディスプレイに接続したとき、調整またはメンテナンスを行うためのモードに切り替えられるので、カゴ内に設置されたディスプレイに表示される調整またはメンテナンス用のデータを見ながら、ディスプレイ操作用コントローラの操作により調整またはメンテナンス用のデータを入力して、作業員が容易にエレベーターの調整またはメンテナンス作業を行うことができる。
【０００９】
請求項３に記載の本発明に係るエレベーターシステムは、エレベーターの調整またはメンテナンス時に、ホールに設置されたディスプレイに接続されたディスプレイ操作用コントローラの操作による入力信号を調整またはメンテナンス用のデータとして取り込み、ホールに設置されたディスプレイに調整またはメンテナンス用のデータを表示するように制御する制御手段を備えたことを特徴とする。
【００１０】
請求項３に記載の本発明によれば、ホールに設置されたディスプレイに表示される調整またはメンテナンス用のデータを見ながら、ディスプレイ操作用コントローラの操作により調整またはメンテナンス用のデータを入力して、作業員が容易にエレベーターの調整またはメンテナンス作業を行うことができる。
【００１１】
請求項４に記載の本発明に係るエレベーターシステムは、エレベーターのホールに設置されたディスプレイに設けられ、ディスプレイ操作用コントローラが接続されたとき、調整またはメンテナンスを行うためのモードに切り替えるディスプレイモード切り替え手段と、この手段により調整またはメンテナンスを行うためのモードに切り替えられたとき、ディスプレイ操作用コントローラの操作による入力信号を調整またはメンテナンス用のデータとして取り込み、ホールに設置されたディスプレイに調整またはメンテナンス用のデータを表示するように制御する制御手段とを備えたことを特徴とする。
【００１２】
請求項４に記載の本発明によれば、ディスプレイ操作用コントローラをエレベーターのホールに設置されたディスプレイに接続したとき、調整またはメンテナンスを行うためのモードに切り替えられるので、ホールに設置されたディスプレイに表示される調整またはメンテナンス用のデータを見ながら、ディスプレイ操作用コントローラの操作により調整またはメンテナンス用のデータを入力して、作業員が容易にエレベーターの調整またはメンテナンス作業を行うことができる。
【００１５】
【発明の実施の形態】
以下、図面を参照して本発明の実施形態について詳細に説明する。
【００１６】
図１は本発明の第１〜第５の実施形態における主要部の構成を示す斜視図、図２は第１〜第５の実施形態における電気的接続の概略構成を示す図である。
【００１７】
また、図３は本発明の第６〜第１０の実施形態における主要部の構成を示す斜視図、図４は第６〜第１０の実施形態における電気的接続の概略構成を示す図である。
【００１８】
＜第１の実施形態＞
図１および図２を参照して、本発明の第１の実施形態について説明する。
【００１９】
この第１の実施形態は、エレベーターカゴ１内に設置されたカゴディスプレイ部２に、ディスプレイ操作用コントローラ５を接続して、エレベーターの調整またはメンテナンス用のデータをカゴディスプレイ部２に表示させ、エレベーターの調整またはメンテナンス作業を行う構成とする。なお、ディスプレイ操作用コントローラ５としては、例えば、英数字の入力を行うためのキーボード、あるいは所定の操作キーを備えたものとする。
【００２０】
エレベーターの調整またはメンテナンスを行う時、カゴディスプレイ部２に設けられた専用のコントローラ接続用コネクタ部４ヘシリアル伝送ケーブル６をつなぎ、そのシリアル伝送ケーブル６の末端に専用のディスプレイ操作用コントローラ５を接続する。なお、コントローラ接続用コネクタ部４はカゴ内操作盤１２のスイッチボックス１３内に設置することも可能である。
【００２１】
コントローラ接続用コネクタ部４にはディスプレイモード切り替えスイッチ７を設けておき、シリアル伝送ケーブル６をつないだ時、コントローラ接続用コネクタ部４のディスプレイモード切り替えスイッチ７が自動的に入り、カゴディスプレイ部２内の演算装置（ＣＰＵ）８が起動し、制御盤９内のエレベーター制御用のマイコン装置１０までシリアル伝送線１１によりモード切り替え信号を送信し、点検モードとなる。
【００２２】
点検モードになると、作業員がディスプレイ操作用コントローラ５を用いて点検を開始することができる。即ち、ディスプレイ操作用コントローラ５によりディスプレイ表示内容の操作を行うが、このとき入力された点検用のデータは、シリアル伝送ケーブル６、演算装置（ＣＰＵ）８、およびシリアル伝送線１１を経由して制御盤９内のマイコン装置１０に取り込まれる。
【００２３】
その際、今まで携帯保守端末上に表示させていたエレベーター状態表示を、カゴディスプレイ部２に表示させることにより、作業員がより見やすくエレベーターの状態を把握することができ、またより多くの情報を画面に表示させることができる。そして、今まで携帯保守端末上に表示させていた内容は、携帯保守端末の表示器に表示される文字の種類とその字数に制約があるため、数字やアルファベット等の暗号であったが、携帯保守端末の表示器よりも大きな表示画面でしかも表示内容についても制限の少ないカゴディスプレイ部２における表示になることにより、暗号だけではなく日本語の表示も可能とし、よりわかりやすい点検をすることが可能となる。例えば、今までは、停電、浸水、カゴ内照明の断線、ホール内照明の断線、制御回路の断線などの故障については、それぞれの状態を示す数字やアルファベット等の記号で携帯保守端末の表示器に表示され、作業員は一覧表を見てこれらの記号を解読していたが、これらに対する日本語を併記してカゴディスプレイ部２に表示することにより、容易に点検を行うことができる。
【００２４】
さらに、今までは、作業員が点検を行う時、制御盤９の設置位置まで行かなければならなかったが、本実施形態によれば、エレベーターカゴ１内でその作業を行うことができる。
【００２５】
＜第２の実施形態＞
図１および図２を参照して、本発明の第２の実施形態について説明する。
【００２６】
この第２の実施形態は、図１において、第１の実施形態と同様にエレベーターカゴ内１に設置されたカゴディスプレイ部２を見て作業員が点検を行うが、この際、第１の実施形態におけるディスプレイ操作用コントローラ５の代わりに、カゴディスプレイ部２に設けられたタッチパネル部３を使用してディスプレイ表示内容を操作し点検のためのデータを入力する構成とする。
【００２７】
即ち、この実施形態においては、点検時、タッチパネル部３の操作により入力された点検用のデータは演算装置（ＣＰＵ）８、およびシリアル伝送線１１を経由して制御盤９内のマイコン装置１０に取り込まれる。点検用のデータの入力にこのタッチパネル部３を使用することにより、ディスプレイ操作用コントローラ不要で点検可能となる。通常モードと点検モードの切り替えについては、カゴディスプレイ部２またはカゴ内操作盤１２内に、作業員専用の点検スイッチを設け、この点検スイッチを操作することにより切り替えを行う。
【００２８】
＜第３の実施形態＞
図１および図２を参照して、本発明の第３の実施形態について説明する。
【００２９】
この第３の実施形態は、図１において、第１の実施形態と同様にエレベーターカゴ内１に設置されたカゴディスプレイ部２を見て作業員が点検を行うが、この際、ディスプレイ表示内容の操作、即ち点検のためのデータの入力は、第１の実施形態におけるディスプレイ操作用コントローラ５の代わりに、カゴ内操作盤１２のカゴ行先階ボタン１４を使用することとする。なお、カゴ行先階ボタン１４の数が少ない場合は、例えば、各ボタンを押す回数をそれぞれ入力する文字などに対応させることにより、ボタンの数より多い種類の文字などを入力することができる。
【００３０】
これにより、ディスプレイ操作用コントローラ不要で点検可能となる。通常モードと点検モードの切り替えについては、第２の実施形態と同様に、カゴディスプレイ部２またはカゴ内操作盤１２内に作業員専用の点検スイッチを設け、この点検スイッチを操作することにより切り替えを行う。
【００３１】
＜第４の実施形態＞
この第４の実施形態は、第１〜第３の実施形態において、エレベーターの調整時に、乗心地データ波形などをカゴディスプレイ部２に表示させるものである。
【００３２】
今まで、調整時にはシンクロスコープなどの機器を制御盤設置位置まで持って行き、制御盤９に接続し波形を取っていたが、本実施形態によれば、カゴディスプレイ部２にその波形を映し出すことにより、シンクロスコープの機器等がなくとも、調整できる。即ち、制御盤９内のマイコン装置１０に、乗心地データ波形を表示するためのソフトウエアを用意しておくことにより、カゴディスプレイ部２にその波形を表示させることができる。
【００３３】
＜第５の実施形態＞
この第４の実施形態は、第１〜第３の実施形態において、エレベーターの仕様変更時にその変更データをカゴディスプレイ部２に表示させ、データ入力を可能としたものである。例えば、不停止階仕様の階床が変更になったとき、あるいはホームランディング仕様の有無が変更になったときなどに、そのデータ変更を、エレベーターカゴ１内で行うことができるものである。
【００３４】
＜第６の実施形態＞
図３および図４を参照して、本発明の第６の実施形態について説明する。
【００３５】
この第６の実施形態は、エレベーターホール２１に設置されたホールディスプレイ部２２に、ディスプレイ操作用コントローラ２５を接続して、エレベーターの調整またはメンテナンス用のデータをホールディスプレイ部２２に表示させ、エレベーターの調整またはメンテナンス作業を行う構成とする。なお、ディスプレイ操作用コントローラ２５としては、例えば、英数字の入力を行うためのキーボード、あるいは所定の操作キーを備えたものとする。
【００３６】
エレベーターの調整またはメンテナンスを行う時、ホールディスプレイ部２２に設けられた専用のコントローラ接続用コネクタ部２４ヘシリアル伝送ケーブル２６をつなぎ、そのシリアル伝送ケーブル２６の末端に専用のディスプレイ操作用コントローラ２５を接続する。
【００３７】
コントローラ接続用コネクタ部２４にはディスプレイモード切り替えスイッチ２７を設けておき、シリアル伝送ケーブル２６をつないだ時、コントローラ接続用コネクタ部２４のディスプレイモード切り替えスイッチ２７が自動的に入り、ホールディスプレイ部２２内の演算装置（ＣＰＵ）２８が起動し、制御盤２９内のエレベーター制御用のマイコン装置３０までシリアル伝送線３１によりモード切り替え信号を送信し、点検モードとなる。
【００３８】
点検モードになると、作業員がディスプレイ操作用コントローラ２５を用いて点検を開始することができる。即ち、ディスプレイ操作用コントローラ２５によりディスプレイ表示内容の操作を行うが、このとき入力された点検用のデータは、シリアル伝送ケーブル２６、演算装置（ＣＰＵ）２８、およびシリアル伝送線３１を経由して制御盤２９内のマイコン装置３０に取り込まれる。
【００３９】
その際、今まで携帯保守端末上に表示させていたエレベーター状態表示を、ホールディスプレイ部２２に表示させることにより、作業員がより見やすくエレベーターの状態を把握することができ、またより多くの情報を画面に表示させることができる。そして今まで携帯保守端末上に表示させていた内容は、携帯保守端末の表示器に表示される文字の種類とその字数に制約があるため、数字やアルファベット等の暗号であったが、携帯保守端末の表示器よりも大きな表示画面でしかも表示内容についても制限の少ないホールディスプレイ部２２における表示になることにより、暗号だけではなく日本語の表示も可能とし、よりわかりやすい点検をすることが可能となる。
【００４０】
さらに、今までは、作業員が点検を行う時、制御盤２９の設置位置まで行かなければならなかったが、本実施形態によれば、エレベーターホール２１でその作業を行うことができる。
【００４１】
＜第７の実施形態＞
図３および図４を参照して、本発明の第７の実施形態について説明する。
【００４２】
この第７の実施形態は、図３において、第６の実施形態と同様にエレベーターホール２１に設置されたホールディスプレイ部２２を見て作業員が点検を行うが、この際、第６の実施形態におけるディスプレイ操作用コントローラ２５の代わりに、ホールディスプレイ部２２に設けられたタッチパネル部２３を使用してディスプレイ表示内容を操作し点検のためのデータを入力する構成とする。
【００４３】
即ち、この実施形態においては、点検時、タッチパネル部２３の操作により入力された点検用のデータは演算装置（ＣＰＵ）２８、およびシリアル伝送線３１を経由して制御盤２９内のマイコン装置３０に取り込まれる。点検用のデータの入力にこのタッチパネル部２３を使用することにより、ディスプレイ操作用コントローラ不要で点検可能となる。通常モードと点検モードの切り替えについては、ホールディスプレイ部２２、またはホールインジケータボタン部３２等に、作業員専用の点検スイッチを設け、この点検スイッチを操作することにより切り替えを行う。
【００４４】
＜第８の実施形態＞
図３および図４を参照して、本発明の第８の実施形態について説明する。
【００４５】
この第８の実施形態は、図３において、第６の実施形態と同様にエレベーターホール２１に設置されたホールディスプレイ部２２を見て作業員が点検を行うが、この際、ディスプレイ表示内容の操作、即ち点検のためのデータの入力は、第６の実施形態におけるディスプレイ操作用コントローラ２５の代わりに、ホールボタン３３を使用することとする。なお、例えば、ホールボタン３３の各ボタンを押す回数をそれぞれ入力する文字などに対応させることにより、ボタンの数より多い種類の文字などを入力することができる。
【００４６】
これにより、ディスプレイ操作用コントローラ不要で点検可能となる。通常モードと点検モードの切り替えについては、第７の実施形態と同様に、ホールディスプレイ部２２、またはホールインジケータボタン部３２等に、作業員専用の点検スイッチを設け、この点検スイッチを操作することにより切り替えを行う。
【００４７】
＜第９の実施形態＞
この第９の実施形態は、第７〜第８の実施形態において、エレベーターの調整時に、乗心地データ波形などをホールディスプレイ部２２に表示させるものである。
【００４８】
今まで、調整時にはシンクロスコープなどの機器を制御盤設置位置まで持っていき、制御盤２９に接続し波形を取っていたが、本実施形態によればホールディスプレイ部２２にその波形を映し出すことにより、シンクロスコープの機器等がなくとも、調整できる。即ち、制御盤２９内のマイコン装置３０に、乗心地データ波形を表示するためのソフトウエアを用意しておくことにより、ホールディスプレイ部２２にその波形を表示させることができる。
【００４９】
＜第１０の実施形態＞
この第１０の実施形態は、第５〜第７の実施形態において、エレベーターの仕様変更時にその変更データをホールディスプレイ部２２に表示させ、データ入力を可能としたものである。例えば、不停止階仕様の階床が変更になったとき、あるいはホームランディング仕様の有無が変更になったときなどに、そのデータ変更を、エレベーターホール２１で行うことができるものである。
【００５０】
【発明の効果】
以上説明したように、本発明によれば、作業員が制御盤設置位置まで行かなくても、カゴやホールでわかりやすくエレベーターの調整、点検、仕様変更などの調整またはメンテナンス作業を行うことが出来、さらに作業用の仕様機器を減らし、効率よく作業を行うことが出来る。
【図面の簡単な説明】
【図１】  本発明の第１〜第５の実施形態における主要部の構成を示す斜視図。
【図２】  本発明の第１〜第５の実施形態における電気的接続の概略構成を示す図。
【図３】  本発明の第６〜第１０の実施形態における主要部の構成を示す斜視図。
【図４】  本発明の第６〜第１０の実施形態における電気的接続の概略構成を示す図。
【符号の説明】
１…エレベーターカゴ
２…カゴディスプレイ部
３…タッチパネル部
４…コントローラ接続用コネクタ部
５…ディスプレイ操作用コントローラ
６…シリアル伝送ケーブル
７…ディスプレイモード切り替えスイッチ
８…演算装置（ＣＰＵ）
９…制御盤
１０…マイコン装置
１１…シリアル伝送線
１２…カゴ内操作盤
１３…スイッチボックス
１４…カゴ行先階ボタン
２１…エレベーターホール
２２…ホールディスプレイ部
２３…タッチパネル部
２４…コントローラ接続用コネクタ部
２５…ディスプレイ操作用コントローラ
２６…シリアル伝送ケーブル
２７…ディスプレイモード切り替えスイッチ
２８…演算装置（ＣＰＵ）
２９…制御盤
３０…マイコン装置
３１…シリアル伝送線
【図１】
0004112273.tif 000002
【図２】
0004112273.tif 000003
【図３】
0004112273.tif 000004
【図４】
0004112273.tif 000005